(57)【要約】【課題】昇降路内に転落の恐れの無い開口寸法で乗り場戸を固定し、乗り場からの安全な昇降路内点検を可能とする。【解決手段】乗り場戸４a、４ｂの間に挟み乗り場戸４の閉方向を固定する胴体部１と、胴体部１両側に取り付けられ一方向にスライドし任意の位置で胴体部１に固定でき乗り場戸４の折り曲げ部５に掛けることで乗り場戸４の開方向を固定する鉤部２を備えている。  昇降路内（図示せず）を点検する際には、まずは胴体部１の両側にある１対の鉤部２がお互い離れる方向へスライドされる。続いて、左右の乗り場戸４ａ、４ｂの間に胴体部１を挟み込み、更に１対の鉤部２と折り曲げ部５とが当接するまでスライドさせ固定部３により鉤部２を固定する。【選択図】図２
2007302367.tif 000002
【特許請求の範囲】
【請求項１】
それぞれ幅方向の端縁部に折り曲げ部を有して中央から左右に開く両開き乗り場戸を一定寸法開放し昇降路内の機器を乗り場より確認・点検する際に、前記乗り場戸の開放寸法を固定するエレベーター乗り場戸固定器具において、前記乗り場戸の間に挟み前記乗り場戸の閉方向を固定する胴体部と、前記胴体部両側に取り付けられ一方向にスライドし任意の位置で胴体部に固定でき前記乗り場戸の折り曲げ部に掛けることで前記乗り場戸の開方向を固定する鉤部を備えていることを特徴とするエレベーター乗り場戸固定器具。
【請求項２】
１枚又は複数枚の乗り場戸が左右どちらかの一方向に互いに異なる速度で開く片開き乗り場戸を一定寸法開放し昇降路の機器を乗り場より確認・点検する際に、前記乗り場戸を開放寸法を固定するエレベーター乗り場戸固定装置において、前記乗り場戸と三方枠の戸当たり枠の間に挟み前記乗り場戸の閉方向を固定する胴体部と、前記胴体部両側に取り付けられ一方向にスライドし任意の位置で胴体部に固定でき前記乗り場戸の折り曲げ部と前記戸当たり枠の折り曲げ部に掛けることで前記乗り場戸の開方向を固定する鉤部を備えていることを特徴とするエレベーター乗り場戸固定器具。
【請求項３】
請求項１及び前記２の前記乗り場戸固定器具において、前記鉤部をスライドさせる際、前記鉤部を一方向に案内する長穴と、前記鉤部が回転することを防止する突起を備えたことを特徴とするエレベーター乗り場戸固定器具。
【発明の詳細な説明】
【技術分野】
【０００１】
本発明は、昇降路内の機器を乗り場から確認・点検する際に乗り場戸の開放寸法を固定するためのエレベーター乗り場戸固定器具。
【背景技術】
【０００２】
一般にエレベーターの昇降路内の汚損状態又は機器取り付け状態を確認する際、作業員は乗り場戸を開放し乗り場から行っている。このとき昇降路内へ転落しないよう乗り場戸を転落する恐れのない寸法で保持して作業を行っている。
【０００３】
従来技術としては、中央から左右に開く両開き乗り場戸において、左右乗り場戸の閉方向及び開方向への移動を阻止する戸開保持器具を設けることが提案されている。これは図４のように左右乗り場戸４ａ、４ｂの間に挿入される基部１０と、その基部１０の両側に乗り場戸４の折り曲げ部５に篏合するＵ字形係合部１１とを備えたもので、これを図５に示すように乗り場戸４ａ、４ｂの間に基部１０を挿入することで乗り場戸１を所定の開放寸法で保持でき、乗り場戸４の開放寸法を一定に保持するために手で押えておく必要がなく昇降路内への転落を防止できるものであった。
【０００４】
また、図６に示すように戸開保持器具のＵ字係合部１１に突出部１２を備え、更に乗り
場戸４の折り曲げ部５に切り欠き１３を設け、図７に示すよう切り欠き１３から突出部１２を挿入するように取り付ける構成も提案されている。
【特許文献１】特開２００４−６７２９３号公報
【発明の開示】
【発明が解決しようとする課題】
【０００５】
このように基部１０とＵ字係合部１１とを備えた器具では図５に示す方向（乗り場側）から外力がかかった場合、乗り場戸４ａ、４ｂから外れてしまい固定解除されてしまう。また、Ｕ字係合部１１に突出部１２を備え、乗り場戸４の折り曲げ部５に切り欠き１３を設けることで外れ防止が図れるが、この場合乗り場戸４の乗り曲げ部５は補強の役割を果たしており、切り欠き１３を設けることで乗り場戸４の強度低下が懸念される。
【０００６】
本発明は、このような課題点を解消するためになされたもので、乗り場戸４の強度低下することなく、且つ外力により乗り場戸４から外れる恐れなく乗り場戸４の開放を一定寸法で固定できるエレベーター乗り場戸固定器具の提供を目的とする。
【課題を解決するための手段】
【０００７】
本発明の請求項１に係るエレベーター乗り場戸固定器具は、それぞれ幅方向の端縁部に折り曲げ部を有して中央から左右に開く両開き乗り場戸を一定寸法開放し昇降路内の機器を乗り場より確認・点検する際に、前記乗り場戸の開放寸法を固定するエレベーター乗り場戸固定器具において、前記乗り場戸の間に挟み前記乗り場戸の閉方向を固定する胴体部と、前記胴体部両側に取り付けられ一方向にスライドし任意の位置で胴体部に固定でき前記乗り場戸の折り曲げ部に掛けることで前記乗り場戸の開方向を固定する鉤部を備えていることを特徴とする。
【０００８】
本発明の請求項２に係るエレベーター乗り場戸固定器具は、１枚又は複数枚の乗り場戸が左右どちらかの一方向に互いに異なる速度で開く片開き乗り場戸を一定寸法開放し昇降路の機器を乗り場より確認・点検する際に、前記乗り場戸を開放寸法を固定するエレベーター乗り場戸固定装置において、前記乗り場戸と三方枠の戸当り枠の間に挟み前記乗り場戸の閉方向を固定する胴体部と、前記胴体部両側に取り付けられ一方向にスライドし任意の位置で胴体部に固定でき前記乗り場戸の折り曲げ部と前記戸当り枠の折り曲げ部に掛けることで前記乗り場戸の開方向を固定する鉤部を備えていることを特徴とする。
【発明の効果】
【０００９】
本発明の請求項１に係るエレベーター乗り場戸固定器具においては、乗り場戸の折り曲げ部に切り欠きを設けることなく外力がかかった場合でも解除される恐れのない乗り場戸の固定ができる。また、切り欠き部を探すために昇降路側に身を乗り出し転落する恐れもなく、乗り場側から設置し乗り場戸の開放寸法を固定することができる。
【００１０】
本発明の請求項２に係るエレベーター乗り場戸固定器具においては、鉤部がスライド可能であることから乗り場戸と戸当り枠の折り曲げ部の高さが異なった場合にも乗り場戸の開放寸法を固定することができ、請求項１と同様の効果を得ることができる。
【発明を実施するための最良の形態】
【００１１】
以下、本発明の実施の形態を説明する。
【００１２】
図１（ａ）及び（ｂ）は本発明による乗り場戸固定器具を示す概略図である。図１に示すように乗り場戸固定器具には、胴体部１とスライド可能な１対の鉤部２を有しており、鉤部２には突起２ａと長穴２ｂが設けられている。また、鉤部２は長穴２ｂを用いて任意の位置で固定できる固定部３により胴体部１に取り付けられている。
【００１３】
図２（ａ）及び（ｂ）は第１の実施形態である中央から左右に開く両開き乗り場戸の固定状況を示す乗り場平面図である。乗り場戸１を固定する際は、まず図２（ａ）に示すよう１対の鉤部２がお互い離れる方向へスライドさせる。このときの胴体部１と鉤部２間の隙間寸法Ａは乗り場戸４の折り曲げ部５寸法以上となるよう設定する。尚、胴体部１の寸法Ｂは乗り場戸４の開口寸法となるため、昇降路内（図示せず）に転落する恐れのない寸法に設定する。続いて、図２（ｂ）に示すように、左右の乗り場戸４ａ、４ｂの間に胴体部１を挟み込み、更に１対の鉤部２と折返し部５とが当接するまでスライドさせ固定部３により固定する。
【００１４】
これにより、昇降路内に転落の恐れの無い開口寸法で乗り場戸４を固定することができ乗り場（図示せず）から安全に昇降路内の点検が可能になる。また、鉤部２に突起２ａが設けてあるため、鉤部２が回転してしまうことはなく、乗り場戸固定器具にホール側、昇降路内側、又は上下方向から外力が加えられても乗り場戸からは外れず乗り場戸４の固定解除されることはない。
【００１５】
図３(ａ）及び（ｂ）は第２の実施形態である１枚又は複数枚の乗り場戸が左右どちらかの一方向に互いに異なる速度で開く片開き乗り場戸の固定状況を示す乗り場平面図である。第１の実施形態と同様、乗り場戸６を固定する際には、まず乗り場固定器具の鉤部２がお互い離れる方向へスライドさせる。このときの胴体部１と鉤部２間の隙間寸法Aは乗り場戸６の折り曲げ部７寸法及び三方枠の戸当たり枠８の昇降路側折り曲げ部９寸法以上となるよう設定する。続いて図３（ｂ）に示すように、乗り場戸６ａと戸当たり枠８の間に胴体部１を挟み込み、折り曲げ部７及び９に鉤部２を当接させ固定部３により鉤部２を固定する。
【００１６】
これにより、第１の実施形態と同様に、昇降路内に転落の恐れの無い開口寸法で乗り場戸６を固定でき、乗り場から安全に昇降路内の点検が可能になる。また、外力が加えられても外れずに乗り場戸６の固定解除されることはない。
【図面の簡単な説明】
【００１７】
【図１】本発明による乗り場戸固定器具の概観を示す平面図（ａ）及び背面図（ｂ）である。
【図２】本発明の第１の実施形態における乗り場戸固定器具取り付け前（ａ）及び取り付け（ｂ）状況を示す乗り場平面図である。
【図３】本発明の第２の実施形態における乗り場戸固定器具取り付け前（ａ）及び取り付け（ｂ）状況を示す乗り場平面である。
【図４】従来の戸開保持器具構成の一実施形態を示す斜視図である。
【図５】従来の乗り場戸保持状況の一実施形態を示す平面図（ａ）および背面図（ｂ）である。
【図６】従来の戸開保持器具構成のその他の実施形態を示す斜視図である。
【図７】従来の乗り場戸保持状況のその他の実施形態を示す平面図（ａ）及び(ｂ)である。
【符号の説明】
【００１８】
１      乗り場戸固定器具の胴体部
２      乗り場戸固定器具の鉤部
２ａ    鉤部の長穴
２ｂ    鉤部の突起
３      固定部  
４，６  乗り場戸
５，７  乗り場戸の折り曲げ部
８      三方枠の戸当り枠
９      戸当り枠の折り曲げ部
１０    従来の戸開保持器具の基部
１１    従来の戸開保持器具のＵ字係合部
１２    従来の戸開保持器具の突出部
１３    乗り場戸の切り欠き
【図１】
2007302367.tif 000003
【図２】
2007302367.tif 000004
【図３】
2007302367.tif 000005
【図４】
2007302367.tif 000006
【図５】
2007302367.tif 000007
【図６】
2007302367.tif 000008
【図７】
2007302367.tif 000009